(57)【要約】      （修正有）【課題】顔料の出がよい化粧用ペンを提供する。【解決手段】収容空間１３を有するペン軸１、ペン軸１の一端に設けられるペン先２、それぞれ収容空間１３にあるカートリッジユニット４と加圧ユニット５、ペン軸１の他端にあってカートリッジユニット４をペン先２側に移動させる押圧ユニット６、を具え、カートリッジユニット４は、充填空間４１１が形成され且つペン先２に近い側に開放端４１４を有する液体充填管４１を有し、加圧ユニット５は、カートリッジユニット４とペン先２との間にある加圧ブロック５１と、加圧ブロック５１とカートリッジユニット４との間にある弾性部材５２とを有し、加圧ブロック５１は、カートリッジユニット４がペン先２側に移動した際に開放端４１４から充填空間４１１に入り込む円筒部を有し、円筒部は、充填空間４１１とペン先２とを連通する液体流出経路５１４が形成されている。【選択図】図２
0003199678.tif 000002
【実用新案登録請求の範囲】
【請求項１】
長手方向に一端と他端を有するように延伸し内部に収容空間が形成されているペン軸と、
前記ペン軸の前記一端に設けられるペン先と、
前記収容空間において前記ペン軸の前記他端に近い側に設けられているカートリッジユニットと、
前記収容空間において前記ペン軸の前記一端に近い側に設けられている加圧ユニットと、
前記ペン軸の前記他端に設けられており、前記カートリッジユニットを前記ペン先に近づく方向に押圧して移動させることができるように構成された押圧ユニットと、を具え、
前記カートリッジユニットは、液状の化粧顔料を充填する充填空間が内部に形成されていると共にその両端のうち前記ペン先に近い側が開放端となっていて、該開放端の開口が前記充填空間と連通している液体充填管を有し、
前記加圧ユニットは、前記カートリッジユニットと前記ペン先との間に設けられている加圧ブロックと、前記加圧ブロックと前記カートリッジユニットとの間に設けられていて前記カートリッジユニットを前記ペン先から離れる方向に付勢する弾性部材とを有し、
前記加圧ブロックは、前記押圧ユニットによって前記カートリッジユニットが前記ペン先に近づく方向に移動した際に前記開放端の開口から前記充填空間に入り込むように構成された円筒部を有し、
前記円筒部には、該円筒部を貫通して前記充填空間と前記ペン先とを連通する液体流出経路が形成されている、
ことを特徴とする化粧用ペン。
【請求項２】
前記カートリッジユニットは、前記液体充填管の前記開放端に設けられている端部ブロックを更に有し、
前記端部ブロックには、該端部ブロックを貫通して前記加圧ブロックの前記液体流出経路と前記充填空間とを連通するガイド孔が形成されており、
前記加圧ブロックの前記円筒部は、前記端部ブロックに対して相対的に往復動できるように前記ガイド孔に液密的に挿入されている
ことを特徴とする請求項１に記載の化粧用ペン。
【請求項３】
前記カートリッジユニットは、前記充填空間に設けられている封止部材を更に有し、
前記封止部材は、前記カートリッジユニットが前記押圧ユニットに押圧されていないときには、前記端部ブロックの前記ガイド孔を閉塞するように嵌まり込み、前記カートリッジユニットが前記押圧ユニットに押圧されて前記ペン先に近づく方向に移動したときには、前記端部ブロックに対して相対移動した前記加圧ブロックの前記円筒部に押されて前記端部ブロックから離れて前記ガイド孔を開放するように構成されている
ことを特徴とする請求項２に記載の化粧用ペン。
【請求項４】
前記加圧ブロックは、前記円筒部と繋がっているフランジ部と、前記円筒部の反対側で前記フランジ部と繋がっていると共に前記ペン先に当接している当接部とを更に有し、前記液体流出経路は、前記円筒部、前記フランジ部、前記当接部をそれぞれ貫通するように形成されており、
前記弾性部材は、前記円筒部を囲み且つその両端がそれぞれ前記フランジ部と前記カートリッジユニットの前記端部ブロックとに当接するように設けられている
ことを特徴とする請求項２または請求項３に記載の化粧用ペン。
【請求項５】
前記ペン軸は、その前記他端を有する本体部と、前記一端を有すると共に前記本体部と連結されていて前記本体部と共に前記収容空間を形成しているペン先設置部とを有し、
前記ペン先を覆うように前記ペン先設置部に取り外し可能に連結されるキャップを更に具える
ことを特徴とする請求項１〜４のいずれか一項に記載の化粧用ペン。
【考案の詳細な説明】
【技術分野】
【０００１】
本考案は化粧用具に関し、特には液状の化粧顔料を用いるのに適した化粧用ペンに関する。
【背景技術】
【０００２】
化粧顔料の形態によってその容器は異なるが、例えばリキッドタイプのアイライナーのような粘性の高い液状顔料は、一般に蓋付きの保存容器に入れられる。使用の際には、容器の蓋を開けて顔料をブラシに付ける。しかし、容器の蓋が開けられると、顔料が外気に触れるので、水分が抜けてしまう。使用の度に蓋の開け閉めを繰り返すことで、だんだんと顔料が乾いて固くなり使えなくなってしまうことがある。
【０００３】
このような問題を改善するために、筆ペン型の化粧用具が発売されている。これは、液状顔料を外気から密封されるように充填するためのカートリッジ部と、カートリッジ部から液状顔料が流れ込むようにカートリッジ部と一体となったペン先部とを具えるものである。
【考案の概要】
【考案が解決しようとする課題】
【０００４】
このような化粧用ペンによれば、化粧顔料が外気に触れてだんだんと乾いて固くなってしまうという問題が改善される。しかし、化粧顔料として粘性が高いものを用いる場合には、顔料がカートリッジ部からペン先部にスムーズに流れなくなり、顔料の出が悪くなるという問題が起きる。特に使用に連れてカートリッジ部内の顔料が減ってカートリッジ部の内圧が低下した際にこの問題はより顕著となる。
【０００５】
そこで、本考案は、ペン先への化粧顔料の流れをスムーズにすることができる化粧用ペンの提供をその目的とする。
【課題を解決するための手段】
【０００６】
上記目的を達成するための手段として、本考案は、以下の手段を提供する。      
即ち、長手方向に一端と他端を有するように延伸し内部に収容空間が形成されているペン軸と、前記ペン軸の前記一端に設けられるペン先と、前記収容空間において前記ペン軸の前記他端に近い側に設けられているカートリッジユニットと、前記収容空間において前記ペン軸の前記一端に近い側に設けられている加圧ユニットと、前記ペン軸の前記他端に設けられており、前記カートリッジユニットを前記ペン先に近づく方向に押圧して移動させることができるように構成された押圧ユニットと、を具え、
前記カートリッジユニットは、液状の化粧顔料を充填する充填空間が内部に形成されていると共にその両端のうち前記ペン先に近い側が開放端となっていて、該開放端の開口が前記充填空間と連通している液体充填管を有し、
前記加圧ユニットは、前記カートリッジユニットと前記ペン先との間に設けられている加圧ブロックと、前記加圧ブロックと前記カートリッジユニットとの間に設けられていて前記カートリッジユニットを前記ペン先から離れる方向に付勢する弾性部材とを有し、
前記加圧ブロックは、前記押圧ユニットによって前記カートリッジユニットが前記ペン先に近づく方向に移動した際に前記開放端の開口から前記充填空間に入り込むように構成された円筒部を有し、前記円筒部には、該円筒部を貫通して前記充填空間と前記ペン先とを連通する液体流出経路が形成されていることを特徴とする化粧用ペンを提供する。
【考案の効果】
【０００７】
上記手段によれば、押圧ユニットを押すことによって、加圧ブロックの円筒部を充填空間に入り込ませることができるので、これにより充填空間を圧縮することで、充填空間内に充填されている化粧顔料が押し出されるようになり、化粧顔料のペン先への流れをスムーズにすることが可能となる。
【図面の簡単な説明】
【０００８】
【図１】本考案に係る化粧用ペンの一実施例を示す分解斜視図である。
【図２】本考案に係る化粧用ペンの一実施例を示す断面図である。
【図３】本考案に係る化粧用ペンの一実施例の使用状態を示す部分断面図である。
【図４】本考案に係る化粧用ペンの一実施例の使用状態を示す断面図である。
【考案を実施するための形態】
【０００９】
以下、添付図面を参照しながら、本考案に係る化粧用ペンの具体的な実施形態及びその使用態様を説明する。
【００１０】
本考案に係る化粧用ペンは、本実施形態において例えばリキッドアイライナーなど液状の化粧顔料を装填して用いることができるものである。
【００１１】
化粧用ペンは、長手方向に一端（図示下端）と他端（図示上端）を有するように延伸し内部に収容空間１３が形成されているペン軸１と、ペン軸１の一端に設けられているペン先２と、収容空間１３においてペン軸１の他端に近い側に設けられているカートリッジユニット４と、収容空間１３においてペン軸１の一端に近い側に設けられている加圧ユニット５と、ペン軸１の他端に設けられており、カートリッジユニット４をペン軸２に近づく方向に押圧して移動させることができるように構成された押圧ユニット６と、ペン先２を覆うようにペン軸１の一端に取り外し可能に被せられるキャップ３を具える。以下、上記各構成を詳しく説明する。なお、以下の説明ではペン軸１の長手方向を縦方向としている。
【００１２】
（ペン軸１）
ペン軸１は、上述の他端を有する中空管状の本体部１１と、上述の一端を有すると共に本体部１１と連結されていて本体部１１と共に収容空間１３を形成しているペン先設置部１２とを有する。
【００１３】
本体部１１は、管状の外郭壁１１１と、ペン軸１の他端でもある外郭壁１１１の端部（図示における上端部）から内側に環状に延伸して縦孔１１２を画成している内向きフランジ壁１１３とを有する。
【００１４】
ペン先設置部１２は、本体部１１の外郭壁１１１の上記端部と反対側の端部（図示における下端部）に当接しているフランジ環１２１と、フランジ環１２１の内周側から外郭壁１１１の内側に入り込むように延伸している嵌接部１２２と、フランジ環１２１の内周側から嵌接部１２２と反対の方向に尻すぼみになるように延伸しているペン先連結部１２３とを有し、ペン先連結部１２３にはキャップ３の内側に切られる雌ねじと螺合できる雄ねじ１２４が切られている。
【００１５】
（ペン先２）
ペン先２は、ペン軸１のペン先連結部１２３の内部に嵌め入れられており、ペン先２を縦方向に貫通している液体ガイド経路２１と、収容空間１３から突出しているヘッド部２２とを有する。
【００１６】
（カートリッジユニット４）
カートリッジユニット４は、収容空間１３内で縦方向に移動可能に設けられるものであり、液状の化粧顔料を充填することができる充填空間４１１が内部に形成されている液体充填管４１と、液体充填管４１の一端に固定されている端部ブロック４２と、充填空間４１１に設けられている封止部材４３とを有する。
【００１７】
液体充填管４１は、充填空間４１１を画成する管状壁４１２を有し、管状壁４１２は、その両端のうちペン先２に遠い側が封止端４１３、ペン先２に近い側が開放端４１４となっていて、開放端４１４の開口が充填空間４１１と連通している。
【００１８】
端部ブロック４２は、液体充填管４１の開放端４１４の開口にその一部が嵌め込まれるように固定されている。また、端部ブロック４２には、該端部ブロック４２を縦方向に貫通しているガイド孔４２１が形成されている。
【００１９】
封止部材４３は、本実施形態では球体として形成されており、カートリッジユニット４が押圧ユニット６に押圧されていない通常位置（図２に示されている位置）においては、端部ブロック４２のガイド孔４２１を閉塞するように充填空間４１１側からガイド孔４２１にその一部が嵌り込んでいる。
【００２０】
（加圧ユニット５）
加圧ユニット５は、図３に特に示されているように、収容空間１３内でカートリッジユニット４とペン先２との間に設けられている加圧ブロック５１と、加圧ブロック５１とカートリッジユニット４との間に設けられていてカートリッジユニット４をペン先２から離れる方向に付勢する弾性部材５２とを有する。
【００２１】
加圧ブロック５１は、円盤状のフランジ部５１１と、フランジ部５１１と繋がっていると共にペン先２側に延伸するように形成されてペン先２に当接している当接部５１２と、当接部５１２の反対側でフランジ部５１１からカートリッジユニット４側に延伸するように円筒状に形成された円筒部５１３を有する。
【００２２】
円筒部５１３は、その先端が液体充填管４１の開放端４１４の開口に挿入されており、これにより、押圧ユニット６によってカートリッジユニット４がペン先２に近づく方向に移動した際に開放端４１４の開口から充填空間４１１に入り込むように構成される。より詳しく言うと、円筒部５１３は、開放端４１４の開口に設けられている端部ブロック４２のガイド孔４２１に往復動可能に且つ液密的に挿入されている。
【００２３】
また、加圧ブロック５１には、円筒部５１３、フランジ部５１１、当接部５１２とをそれぞれ一繋ぎに貫通して一端側でガイド孔４２１を介して充填空間４１１と連通し、他端側でペン先２と連通する液体流出経路５１４が形成されている。
【００２４】
弾性部材５２は、本実施形態ではつるまき状の圧縮ばねであり、円筒部５１３を囲み且つその両端がそれぞれ加圧ブロック５１のフランジ部５１１と、カートリッジユニット４の端部ブロック４２とに当接するように設けられており、これにより上述のようにカートリッジユニット４をペン先２から離れる方向に付勢する。
【００２５】
（押圧ユニット６）
押圧ユニット６は、収容空間１３内で液体充填管４１の管状壁４１２の封止端４１３に一端が当接するように設けられているロッド部材６１と、ペン軸１の本体部１１の縦穴１１２に挿入されてロッド部材６１の他端と連結されているボタン部材６２とを有し、ボタン部材６２はその一部分が収容区間１３の外に、即ちペン軸１の他端から突出していて、該部分が使用者による押圧操作に供される操作部６２１となっている。
【００２６】
以下、本実施形態において上述の構造を具える上に充填空間４１１に液状の化粧顔料が充填されている化粧用ペンの使用態様を説明する。
【００２７】
図２に示されているように、カートリッジユニット４が押圧ユニット６に押圧されていない通常位置にあるときには、封止部材４３が、端部ブロック４２のガイド孔４２１を閉塞するように充填空間４１１側からガイド孔４２１に嵌り込んでいるので、充填空間４１１は封止されている。なお、このとき、加圧ブロック５１の円筒部５１３は、端部ブロック４２のガイド孔４２１に挿入されているが、円筒部５１３と封止部材４３との間には所定の間隔がある。
【００２８】
押圧ユニット６のボタン部材６２の操作部６２１が図４に示されているように押下されると、ロッド部材６１がカートリッジユニット４をペン先２側に押し込む。これによりカートリッジユニット４が弾性部材５２を圧縮しながらペン先２に近づく方向に移動する。その結果、加圧ブロック５１の円筒部５１３がガイド孔４２１により深く入り込み、円筒部５１３と封止部材４３との間隔が縮まり、ひいては封止部材４３が円筒部５１３の先端に突き上げられて、図３に示されているように、封止部材４３が端部ブロック４２から離れて充填空間４１１内に入り込み、ガイド孔４２１が開放される。これにより、充填空間４１１内の化粧顔料が加圧ブロック５１の液体流出経路５１４に流れ込み、更にはペン先２の液体ガイド経路２１に流れ込み、ヘッド部２２に浸透する。
【００２９】
使用に連れて、充填空間４１１内の化粧顔料が減ってくると、充填空間４１１の内圧が減少する。すると、例えば粘性が高い化粧顔料を用いている場合、化粧顔料の出が悪くなることがある。このような場合には、化粧用ペンを振り動かせば、封止部材４３が充填空間４１１内で動いて化粧顔料を撹拌することができる。
【００３０】
更に、本考案に係る化粧用ペンによれば、化粧顔料の出が悪くなった場合に、上述のように、押圧ユニット６を押下することにより、加圧ブロック５１の円筒部５１３をガイド孔４２１により深く入り込ませる、即ち充填空間４１１に入り込ませることができ、入り込んだ円筒部５１３の体積分だけ充填空間４１１の空間容量を減少させることができるので、充填空間４１１の内圧を高めて化粧顔料の出をよくすることができる。
【００３１】
なお、カートリッジユニット４がペン先２に近づく方向に移動する際には上述のように弾性部材５２を圧縮するので、押圧ユニット６への押下を解除すれば、弾性部材５２の戻り弾性で、カートリッジユニット４および押圧ユニット６が押し上げられ、元の通常位置に戻る。
【００３２】
以上、本考案の好ましい実施形態を説明したが、本考案はこれに限定されるものではなく、その要旨を逸脱しない範囲で種々変更可能である。
【産業上の利用可能性】
【００３３】
本考案に係る化粧用ペンは、例えばリキッドアイライナーなど液状の化粧顔料を装填して用いる化粧道具として利用することができる。
【符号の説明】
【００３４】
１            ペン軸
１１          本体部
１１１        外郭壁
１１２        縦孔
１１３        フランジ壁
１２          ペン先設置部
１２１        フランジ環
１２２        嵌接部
１２３        ペン先連結部
１２４        雄ねじ
１３          収容空間
２            ペン先
２１          ガイド経路
２２          ヘッド部
３            キャップ
４            カートリッジユニット
４１          液体充填管
４１１        充填空間
４１２        管状壁
４１３        封止端
４１４        開放端
４２          端部ブロック
４２１        ガイド孔
４３          封止部材
５            加圧ユニット
５１          加圧ブロック
５１１        フランジ部
５１２        当接部
５１３        円筒部
５１４        液体流出経路
５２          弾性部材
６            押圧ユニット
６１          ロッド部材
６２          ボタン部材
６２１        操作部
【図１】
0003199678.tif 000003
【図２】
0003199678.tif 000004
【図３】
0003199678.tif 000005
【図４】
0003199678.tif 000006